(57)【要約】【課題】記録媒体への画像記録後に、当該画像記録に係る画像取込部から取り込んだ画像データを用いて画像を記録すると仮定した場合における記録可能枚数をユーザに知らせる。【解決手段】複数の画像取込部中のいずれかの画像取込部から取り込んだ画像データを用いて記録処理が行われたときに（Ｓ１）、記録処理が行われた画像取込部について、記録情報記憶部に記憶された記録済数の総数の記録媒体への画像記録によって消費されたインクの消費量と、これに対応する記録済数とに基づいて、一枚当たりのインクの平均消費量を導出する。一枚当たりのインクの平均消費量とインク残量とに基づいて、インク貯留部に残存するインクによって画像を記録可能な記録媒体の数である記録可能数を導出（Ｓ６）して表示部に表示させる（Ｓ７）。【選択図】図３
2019064125.tif 000002
【特許請求の範囲】
【請求項１】
色材を収容可能な色材貯留部と、
画像データを取り込むための複数の画像取込部と、
前記色材貯留部から供給される色材によって、前記複数の画像取込部から取り込んだ画像データを用いて記録媒体に画像を記録する記録部と、
前記記録部によって画像が記録された記録媒体の数である記録済数を、記録に用いられた画像データを取り込んだ前記複数の画像取込部ごとに記憶する記録情報記憶部と、
表示部と、
制御部とを備えており、
前記制御部は、
前記複数の画像取込部中の一の画像取込部から画像データを取り込み、当該画像データを用いて前記記録部が一又は複数の記録媒体に画像を記録するようにさせる記録処理と、
前記記録処理が行われたときに、当該一の画像取込部について、記録済数を前記記録情報記憶部に記憶させる記録情報更新処理と、
前記記録処理が行われたときに、当該一の画像取込部について、前記記録情報記憶部に記憶された記録済数の総数以下の数の記録媒体への画像記録によって消費された色材の消費量を取得する消費量取得処理と、
当該一の画像取込部について、前記消費量取得処理によって取得された色材の消費量とこれに対応する記録済数とに基づいて、一記録媒体当たりの色材の平均消費量としての媒体平均消費量を導出する第１消費量導出処理と、
前記記録処理が行われたときに、前記色材貯留部の色材残量を取得する色材残量取得処理と、
当該一の画像取込部について、前記第１消費量導出処理で導出された媒体平均消費量と、前記色材残量取得処理で取得された色材残量とに基づいて、前記色材貯留部に残存する色材によって画像を記録可能な記録媒体の数である記録可能数を導出する記録可能数導出処理と、
当該一の画像取込部について、前記記録可能数導出処理で導出された記録可能数を前記表示部に表示させる記録可能数表示処理とを実行可能であることを特徴とする複合機。
【請求項２】
前記制御部は、
前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、
前記消費量取得処理において、当該記録処理で消費された色材の消費量を取得し、当該記録処理での記録済数及び記録時期情報と共に前記記録情報記憶部に記憶させ、
前記制御部は、
前記記録情報記憶部に記憶された一又は複数の前記記録処理ごとの色材の消費量及び記録時期情報に基づいて、当該一の画像取込部について、前記第１所定期間に包含される第２所定期間における色材の一日当たりの平均消費量としての日平均消費量を導出する第２消費量導出処理と、
前記第２消費量導出処理で導出された日平均消費量と、前記色材残量取得処理で取得された色材残量とに基づいて、当該一の画像取込部について、前記色材貯留部に残存する色材によって画像を記録可能な日数である記録可能日数を導出する記録可能日数導出処理と、
当該一の画像取込部について、前記記録可能日数導出処理で導出された記録可能日数を前記表示部に表示させる記録可能日数表示処理とをさらに実行可能であることを特徴とする請求項１に記載の複合機。
【請求項３】
前記制御部は、
前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、
前記消費量取得処理において、当該記録処理で消費された色材の消費量を取得し、当該記録処理での記録済数及び記録時期情報と共に前記記録情報記憶部に記憶させ、
前記制御部は、
前記複数の画像取込部についての複数の前記記録処理に係り前記記録情報記憶部に記憶された最新の記録時期情報と最先の記録時期情報との時間差が時間差判断期間以上であり、且つ、当該一の画像取込部についての複数の前記記録処理に係り前記記録情報記憶部に記憶された記録時期情報に対応する期間が前記時間差判断期間に包含される第２所定期間以上であるという記録可能日数導出条件を満たすか否かを判断する記憶情報判断処理をさらに実行可能であり、
ａ）前記記憶情報判断処理において前記記録可能日数導出条件を満たす場合、
前記制御部は、
前記記録情報記憶部に記憶された一又は複数の前記記録処理ごとの色材の消費量及び記録時期情報に基づいて、当該一の画像取込部について、前記第２所定期間における色材の一日当たりの平均消費量としての日平均消費量を導出する第２消費量導出処理と、
前記第２消費量導出処理で導出された日平均消費量と、前記色材残量取得処理で取得された色材残量とに基づいて、当該一の画像取込部について、前記色材貯留部に残存する色材によって画像を記録可能な日数である記録可能日数を導出する記録可能日数導出処理と、
当該一の画像取込部について、前記記録可能日数導出処理で導出された記録可能日数を前記表示部に表示させる記録可能日数表示処理とをさらに実行可能であり、
ｂ）前記記憶情報判断処理において前記記録可能日数導出条件を満たさない場合、
前記制御部は、前記日平均消費量導出処理、前記記録可能日数導出処理及び前記記録可能日数表示処理のうち、少なくとも前記記録可能日数表示処理を実行しないことを特徴とする請求項１に記載の複合機。
【請求項４】
前記記録時期情報は、前記記録処理が行われたのが複数区分のうちいずれの区分に属する日であるかを識別する情報を含み、
前記制御部は、
前記第２消費量導出処理において、当該一の画像取込部について、前記第２所定期間における色材の前記複数区分それぞれの日平均消費量を導出し、
前記記録可能日数導出処理において、前記記録処理が行われた時が前記複数区分のいずれの区分に属するかを示す情報と、色材の前記複数区分それぞれの日平均消費量と、前記色材残量取得処理で取得された色材残量とに基づいて、当該一の画像取込部について、前記色材貯留部に残存する色材によって画像を記録可能な日数である記録可能日数を導出することを特徴とする請求項２又は３に記載の複合機。
【請求項５】
前記記録時期情報は、前記記録処理が行われたのが複数区分のうちいずれの区分に属する日であるかを識別する情報を含み、
前記制御部は、
前記色材貯留部の色材残量を監視する残量監視処理と、
前記残量監視処理において色材残量が第１所定量以下であることが分かったときに、前記記録可能日数表示処理の実行を許可する日数表示許可処理とをさらに実行可能であり、
ａ）前記残量監視処理において色材残量が前記第１所定量よりも少ない第２所定量未満であることが分かったときには、
前記第２消費量導出処理において、当該一の画像取込部について、前記第２所定期間における色材の前記複数区分それぞれの日平均消費量を導出し、
前記記録可能日数導出処理において、前記記録処理が行われた時が前記複数区分のいずれの区分に属するかを示す情報と、色材の前記複数区分それぞれの日平均消費量と、前記色材残量取得処理で取得された色材残量とに基づいて、当該一の画像取込部について、前記色材貯留部に残存する色材によって画像を記録可能な日数である記録可能日数を導出し、
ｂ）前記残量監視処理において色材残量が前記第１所定量よりも少なく且つ前記第２所定量以上であることが分かったときには、
前記第２消費量導出処理において、当該一の画像取込部について、前記第２所定期間における色材の前記複数区分を識別しない日平均消費量を導出し、
前記記録可能日数導出処理において、色材の前記複数区分を識別しない日平均消費量と、前記色材残量取得処理で取得された色材残量とに基づいて、当該一の画像取込部について、前記色材貯留部に残存する色材によって画像を記録可能な日数である記録可能日数を導出することを特徴とする請求項２又は３に記載の複合機。
【請求項６】
前記制御部は、
前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、
前記消費量取得処理において、当該記録処理で消費された色材の消費量を取得し、当該記録処理での記録済数及び記録時期情報と共に前記記録情報記憶部に記憶させ、
前記制御部は、
前記記録処理が行われたときに、当該一の画像取込部と異なる他の画像取込部である指定画像取込部について、前記記録情報記憶部に記憶された記録済数の総数以下の数の記録媒体への画像記録によって消費された色材の消費量である指定消費量を取得する指定取得処理と、
前記指定取得処理で取得した指定消費量と、前記色材残量取得処理で取得された色材残量とに基づいて、記録不可となることに関する報知の要否を判断する報知要否判断処理と、
前記報知要否判断処理において報知が必要であると判断されたときに、記録不可となることに関する情報を前記表示部に表示させる記録不可情報表示処理とをさらに実行可能であることを特徴とする請求項１〜５のいずれか１項に記載の複合機。
【請求項７】
前記記録時期情報は、前記記録処理が行われたのが複数区分のうちいずれの区分に属する日であるかを識別する情報を含み、
前記制御部は、前記指定取得処理において、前記指定画像取込部について、前記記録情報記憶部に記憶された一又は複数の前記記録処理ごとの指定消費量、記録済数及び記録時期情報を取得し、
前記制御部は、前記報知要否判断処理として、
前記指定取得処理で取得した指定消費量及び記録時期情報に基づいて、前記指定画像取込部について、前記第１所定期間に包含される第２所定期間における色材の前記複数区分それぞれの一日当たりの平均消費量としての指定日平均消費量を導出する第３消費量導出処理と、
前記記録処理が行われた時が前記複数区分のいずれの区分に属するかを示す情報と、前記第３消費量導出処理で導出された指定日平均消費量と、前記色材残量取得処理で取得された色材残量とに基づいて、前記指定画像取込部について、前記色材貯留部に残存する色材によって画像を記録可能な日数である指定記録可能日数を導出する指定記録可能日数導出処理と、
前記記録処理が行われた時から前記指定記録可能日数導出処理で導出された指定記録可能日数が経過した末日が、所定日に該当するかどうかを判断する指定記録可能末日判断処理とを実行可能であることを特徴とする請求項６に記載の複合機。
【請求項８】
前記制御部は、
前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、
前記消費量取得処理において、当該記録処理で消費された色材の消費量を取得し、当該記録処理での記録済数及び記録時期情報と共に前記記録情報記憶部に記憶させ、
前記制御部は、
前記記録情報記憶部に記憶された一又は複数の前記記録処理ごとの色材の消費量及び記録時期情報に基づいて、前記複数の画像取込部を識別しない、前記第１所定期間に包含される第２所定期間における色材の一日当たりの平均消費量である統合日平均消費量を導出する第４消費量導出処理と、
前記第４消費量導出処理で導出された統合日平均消費量と、前記色材残量取得処理で取得された色材残量とに基づいて、前記色材貯留部に残存する色材によって画像を記録可能な日数である統合記録可能日数を導出する統合記録可能日数導出処理と、
前記統合記録可能日数導出処理で導出された統合記録可能日数を前記表示部に表示させる統合記録可能日数表示処理とをさらに実行可能であることを特徴とする請求項１〜７のいずれか１項に記載の複合機。
【請求項９】
前記制御部は、
前記記録情報記憶部に記憶された一又は複数の前記記録処理ごとの記録済数及び記録時期情報に基づいて、前記複数の画像取込部のそれぞれについて、前記第１所定期間に包含される第２所定期間における一日当たりの平均記録数である日平均記録数を導出する日平均記録数導出処理と、
前記日平均記録数導出処理で前記複数の画像取込部のそれぞれについて導出された日平均記録数と、前記統合記録可能日数導出処理で導出された統合記録可能日数とから、前記複数の画像取込部の一の画像取込部だけが使用されたと仮定した場合の記録可能数又は前記複数の画像取込部の一の画像取込部が所定比率で使用されたと仮定した場合の記録可能数を前記複数の画像取込部のそれぞれについて導出する全記録可能数導出処理と、
前記記録可能数導出処理で導出された前記複数の画像取込部のそれぞれについての記録可能数を前記表示部に表示させる統合記録可能数表示処理とを実行可能であることを特徴とする請求項８に記載の複合機。
【発明の詳細な説明】
【技術分野】
【０００１】
本発明は、画像記録に用いられる画像データを取り込む画像取込部を複数有する複合機に関する。
【背景技術】
【０００２】
特許文献１には、インクを使用して画像を形成するインクジェット記録装置において、インクの使用量と印刷枚数の統計データに基づいて、インクの残量で印刷が可能な枚数に関する印刷可能枚数情報を表示することが記載されている。
【先行技術文献】
【特許文献】
【０００３】
【特許文献１】特開２００６−３３５０４３号公報
【発明の概要】
【発明が解決しようとする課題】
【０００４】
複合機には、例えば、ＰＣ(Personal Computer)と有線又は無線で接続するためのＰＣインターフェイス、原稿の画像を光学的に読み取るスキャナユニット、モデムを含むＦＡＸ通信モジュール、メモリカードに格納された画像データを読み出すためのカードインターフェイスといった、画像データを取り込むための複数の画像取込部が設けられている。一般に、ＰＣインターフェイスから取り込んだ画像データを用いて印刷する場合（ＰＣプリント）と、スキャナユニットから取り込んだ画像データを用いて印刷する場合（コピー）と、ＦＡＸ通信モジュールから取り込んだ画像データを用いて印刷する場合（ファクシミリプリント）と、カードインターフェイスから読み出された画像データを用いて印刷する場合（メディアプリント）とでは、用紙１枚当たりのインクやトナーなどの色材消費量が異なる。したがって、色材の残量が同一である場合でも、印刷可能な枚数は、どの画像取込部から取り込んだ画像データを用いて印刷するかによって異なる。しかしながら、現状の複合機において、ユーザは、記録媒体への画像記録後に、当該画像記録に係る画像取込部から取り込んだ画像データを用いて画像を記録すると仮定した場合における記録可能枚数を知ることができない。
【０００５】
本発明の目的は、記録媒体への画像記録後に、当該画像記録に係る画像取込部から取り込んだ画像データを用いて画像を記録すると仮定した場合における記録可能数をユーザに報知可能な複合機を提供することである。
【課題を解決するための手段】
【０００６】
本発明に係る複合機は、色材を収容可能な色材貯留部と、画像データを取り込むための複数の画像取込部と、前記色材貯留部から供給される色材によって、前記複数の画像取込部から取り込んだ画像データを用いて記録媒体に画像を記録する記録部と、前記記録部によって画像が記録された記録媒体の数である記録済数を、記録に用いられた画像データを取り込んだ前記複数の画像取込部ごとに記憶する記録情報記憶部と、表示部と、制御部とを備えており、前記制御部は、前記複数の画像取込部中の一の画像取込部から画像データを取り込み、当該画像データを用いて前記記録部が一又は複数の記録媒体に画像を記録するようにさせる記録処理と、前記記録処理が行われたときに、当該一の画像取込部について、記録済数を前記記録情報記憶部に記憶させる記録情報更新処理と、前記記録処理が行われたときに、当該一の画像取込部について、前記記録情報記憶部に記憶された記録済数の総数以下の数の記録媒体への画像記録によって消費された色材の消費量を取得する消費量取得処理と、当該一の画像取込部について、前記消費量取得処理によって取得された色材の消費量とこれに対応する記録済数とに基づいて、一記録媒体当たりの色材の平均消費量としての媒体平均消費量を導出する第１消費量導出処理と、前記記録処理が行われたときに、前記色材貯留部の色材残量を取得する色材残量取得処理と、当該一の画像取込部について、前記第１消費量導出処理で導出された媒体平均消費量と、前記色材残量取得処理で取得された色材残量とに基づいて、前記色材貯留部に残存する色材によって画像を記録可能な記録媒体の数である記録可能数を導出する記録可能数導出処理と、当該一の画像取込部について、前記記録可能数導出処理で導出された記録可能数を前記表示部に表示させる記録可能数表示処理とを実行可能であることを特徴とする。
【０００７】
これにより、一の画像取込部から取り込まれた画像データを用いて記録処理が行われたときに、色材の媒体平均消費量が導出され、その媒体平均消費量に基づいて、色材貯留部に残存する色材によって画像を記録可能な記録可能数が導出され、その記録可能数が表示部に表示される。したがって、ユーザは、記録媒体への画像記録後に、当該画像記録に係る画像取込部から取り込んだ画像データを用いて画像を記録すると仮定した場合における記録可能枚数を知ることができる。
【０００８】
前記制御部は、前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、前記消費量取得処理において、当該記録処理で消費された色材の消費量を取得し、当該記録処理での記録済数及び記録時期情報と共に前記記録情報記憶部に記憶させ、前記制御部は、前記記録情報記憶部に記憶された一又は複数の前記記録処理ごとの色材の消費量及び記録時期情報に基づいて、当該一の画像取込部について、前記第１所定期間に包含される第２所定期間における色材の一日当たりの平均消費量としての日平均消費量を導出する第２消費量導出処理と、前記第２消費量導出処理で導出された日平均消費量と、前記色材残量取得処理で取得された色材残量とに基づいて、当該一の画像取込部について、前記色材貯留部に残存する色材によって画像を記録可能な日数である記録可能日数を導出する記録可能日数導出処理と、当該一の画像取込部について、前記記録可能日数導出処理で導出された記録可能日数を前記表示部に表示させる記録可能日数表示処理とをさらに実行可能であってよい。これにより、一の画像取込部について第２所定期間における色材の日平均消費量が導出され、その日平均消費量に基づいて、色材貯留部に残存する色材によって画像を記録可能な記録可能日数が導出され、その記録可能日数が表示部に表示される。したがって、ユーザは、記録媒体への画像記録後に、当該画像記録に係る画像取込部から取り込んだ画像データを用いて画像を記録すると仮定した場合における記録可能日数を知ることができる。
【０００９】
前記制御部は、前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、前記消費量取得処理において、当該記録処理で消費された色材の消費量を取得し、当該記録処理での記録済数及び記録時期情報と共に前記記録情報記憶部に記憶させ、前記制御部は、前記複数の画像取込部についての複数の前記記録処理に係り前記記録情報記憶部に記憶された最新の記録時期情報と最先の記録時期情報との時間差が時間差判断期間以上であり、且つ、当該一の画像取込部についての複数の前記記録処理に係り前記記録情報記憶部に記憶された記録時期情報に対応する期間が前記時間差判断期間に包含される第２所定期間以上であるという記録可能日数導出条件を満たすか否かを判断する記憶情報判断処理をさらに実行可能であり、ａ）前記記憶情報判断処理において前記記録可能日数導出条件を満たす場合、前記制御部は、前記記録情報記憶部に記憶された一又は複数の前記記録処理ごとの色材の消費量及び記録時期情報に基づいて、当該一の画像取込部について、前記第２所定期間における色材の一日当たりの平均消費量としての日平均消費量を導出する第２消費量導出処理と、前記第２消費量導出処理で導出された日平均消費量と、前記色材残量取得処理で取得された色材残量とに基づいて、当該一の画像取込部について、前記色材貯留部に残存する色材によって画像を記録可能な日数である記録可能日数を導出する記録可能日数導出処理と、当該一の画像取込部について、前記記録可能日数導出処理で導出された記録可能日数を前記表示部に表示させる記録可能日数表示処理とをさらに実行可能であり、ｂ）前記記憶情報判断処理において前記記録可能日数導出条件を満たさない場合、前記制御部は、前記日平均消費量導出処理、前記記録可能日数導出処理及び前記記録可能日数表示処理のうち、少なくとも前記記録可能日数表示処理を実行しないことを特徴とする。これにより、高い信頼性で日平均消費量を導出可能な記録可能日数導出条件を満たす場合については記録可能日数を表示し、高い信頼性で日平均消費量を導出できない記録可能日数導出条件を満たさない場合については記録可能日数を表示しなくてよい。これによって、信頼性が高い記録可能日数だけをユーザに報知することができる。
【００１０】
前記記録時期情報は、前記記録処理が行われたのが複数区分のうちいずれの区分に属する日であるかを識別する情報を含み、前記制御部は、前記第２消費量導出処理において、当該一の画像取込部について、前記第２所定期間における色材の前記複数区分それぞれの日平均消費量を導出し、前記記録可能日数導出処理において、前記記録処理が行われた時が前記複数区分のいずれの区分に属するかを示す情報と、色材の前記複数区分それぞれの日平均消費量と、前記色材残量取得処理で取得された色材残量とに基づいて、当該一の画像取込部について、前記色材貯留部に残存する色材によって画像を記録可能な日数である記録可能日数を導出してよい。これにより、第２所定期間における色材の複数区分それぞれの日平均消費量が導出され、複数区分それぞれの日平均消費量に基づいて、色材貯留部に残存する色材によって画像を記録可能な記録可能日数が導出される。したがって、複数区分それぞれの消費量を考慮して記録可能日数を導出できる。
【００１１】
前記記録時期情報は、前記記録処理が行われたのが複数区分のうちいずれの区分に属する日であるかを識別する情報を含み、前記制御部は、前記色材貯留部の色材残量を監視する残量監視処理と、前記残量監視処理において色材残量が第１所定量以下であることが分かったときに、前記記録可能日数表示処理の実行を許可する日数表示許可処理とをさらに実行可能であり、ａ）前記残量監視処理において色材残量が前記第１所定量よりも少ない第２所定量未満であることが分かったときには、前記第２消費量導出処理において、当該一の画像取込部について、前記第２所定期間における色材の前記複数区分それぞれの日平均消費量を導出し、前記記録可能日数導出処理において、前記記録処理が行われた時が前記複数区分のいずれの区分に属するかを示す情報と、色材の前記複数区分それぞれの日平均消費量と、前記色材残量取得処理で取得された色材残量とに基づいて、当該一の画像取込部について、前記色材貯留部に残存する色材によって画像を記録可能な日数である記録可能日数を導出し、ｂ）前記残量監視処理において色材残量が前記第１所定量よりも少なく且つ前記第２所定量以上であることが分かったときには、前記第２消費量導出処理において、当該一の画像取込部について、前記第２所定期間における色材の前記複数区分を識別しない日平均消費量を導出し、前記記録可能日数導出処理において、色材の前記複数区分を識別しない日平均消費量と、前記色材残量取得処理で取得された色材残量とに基づいて、当該一の画像取込部について、前記色材貯留部に残存する色材によって画像を記録可能な日数である記録可能日数を導出してよい。これにより、色材貯留部の色材残量が第１所定量（ニアエンプティ）よりも少ない第２所定量未満のときには、精度の高い記録可能日数をユーザに報知する必要があるため、複数区分それぞれの日平均消費量を考慮した記録可能日数を表示することができる。一方、色材残量が第１所定量（ニアエンプティ）よりも少なく第２所定量以上であるときには、精度の高い記録可能日数をユーザに報知する必要性がないため、複数区分を識別しない日平均消費量を考慮した記録可能日数を表示することができる。
【００１２】
前記制御部は、前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、前記消費量取得処理において、当該記録処理で消費された色材の消費量を取得し、当該記録処理での記録済数及び記録時期情報と共に前記記録情報記憶部に記憶させ、前記制御部は、前記記録処理が行われたときに、当該一の画像取込部と異なる他の画像取込部である指定画像取込部について、前記記録情報記憶部に記憶された記録済数の総数以下の数の記録媒体への画像記録によって消費された色材の消費量である指定消費量を取得する指定取得処理と、前記指定取得処理で取得した指定消費量と、前記色材残量取得処理で取得された色材残量とに基づいて、記録不可となることに関する報知の要否を判断する報知要否判断処理と、前記報知要否判断処理において報知が必要であると判断されたときに、記録不可となることに関する情報を前記表示部に表示させる記録不可情報表示処理とをさらに実行可能であってよい。これにより、記録処理に係る一の画像取込部が指定画像取込部（例えばＦＡＸ通信モジュール）とは異なる場合であっても、記録不可となることで指定画像取込部から取り込んだ画像データが消失する可能性が高い場合には、記録不可となることに関する情報をユーザに報知することができる。
【００１３】
前記記録時期情報は、前記記録処理が行われたのが複数区分のうちいずれの区分に属する日であるかを識別する情報を含み、前記制御部は、前記指定取得処理において、前記指定画像取込部について、前記記録情報記憶部に記憶された一又は複数の前記記録処理ごとの指定消費量、記録済数及び記録時期情報を取得し、前記制御部は、前記報知要否判断処理として、前記指定取得処理で取得した指定消費量及び記録時期情報に基づいて、前記指定画像取込部について、前記第１所定期間に包含される第２所定期間における色材の前記複数区分それぞれの一日当たりの平均消費量としての指定日平均消費量を導出する第３消費量導出処理と、前記記録処理が行われた時が前記複数区分のいずれの区分に属するかを示す情報と、前記第３消費量導出処理で導出された指定日平均消費量と、前記色材残量取得処理で取得された色材残量とに基づいて、前記指定画像取込部について、前記色材貯留部に残存する色材によって画像を記録可能な日数である指定記録可能日数を導出する指定記録可能日数導出処理と、前記記録処理が行われた時から前記指定記録可能日数導出処理で導出された指定記録可能日数が経過した末日が、所定日に該当するかどうかを判断する指定記録可能末日判断処理とを実行可能であってよい。これにより、複数区分それぞれの消費量を考慮し、必要な場合について、記録不可となることに関する情報をユーザに報知することが可能となる。
【００１４】
前記制御部は、前記記録情報更新処理において、前記記録処理が行われたときに、当該一の画像取込部について、当該記録処理での記録済数及び当該記録に係る記録時期情報を、少なくとも第１所定期間内における過去の前記記録処理での記録済数及び記録時期情報を消去することなく、前記過去の前記記録処理での記録済数及び記録時期情報とは独立したものとして前記記録情報記憶部に記憶させ、前記消費量取得処理において、当該記録処理で消費された色材の消費量を取得し、当該記録処理での記録済数及び記録時期情報と共に前記記録情報記憶部に記憶させ、前記制御部は、前記記録情報記憶部に記憶された一又は複数の前記記録処理ごとの色材の消費量及び記録時期情報に基づいて、前記複数の画像取込部を識別しない、前記第１所定期間に包含される第２所定期間における色材の一日当たりの平均消費量である統合日平均消費量を導出する第４消費量導出処理と、前記第４消費量導出処理で導出された統合日平均消費量と、前記色材残量取得処理で取得された色材残量とに基づいて、前記色材貯留部に残存する色材によって画像を記録可能な日数である統合記録可能日数を導出する統合記録可能日数導出処理と、前記統合記録可能日数導出処理で導出された統合記録可能日数を前記表示部に表示させる統合記録可能日数表示処理とをさらに実行可能であってよい。これにより、過去における複数の画像取込部に係る色材の消費実績を統合的に考慮した、平均的な記録可能日数をユーザに知らせることができる。
【００１５】
前記制御部は、前記記録情報記憶部に記憶された一又は複数の前記記録処理ごとの記録済数及び記録時期情報に基づいて、前記複数の画像取込部のそれぞれについて、前記第１所定期間に包含される第２所定期間における一日当たりの平均記録数である日平均記録数を導出する日平均記録数導出処理と、前記日平均記録数導出処理で前記複数の画像取込部のそれぞれについて導出された日平均記録数と、前記統合記録可能日数導出処理で導出された統合記録可能日数とから、前記複数の画像取込部の一の画像取込部だけが使用されたと仮定した場合の記録可能数又は前記複数の画像取込部の一の画像取込部が所定比率で使用されたと仮定した場合の記録可能数を前記複数の画像取込部のそれぞれについて導出する全記録可能数導出処理と、前記記録可能数導出処理で導出された前記複数の画像取込部のそれぞれについての記録可能数を前記表示部に表示させる統合記録可能数表示処理とを実行可能であってよい。これにより、画像取込部ごとの平均的な記録可能数をユーザに知らせることができる。
【発明の効果】
【００１６】
本発明によれば、一の画像取込部から取り込まれた画像データを用いて記録処理が行われたときに、色材の媒体平均消費量が導出され、その媒体平均消費量に基づいて、色材貯留部に残存する色材によって画像を記録可能な記録可能数が導出され、その記録可能数が表示部に表示される。したがって、ユーザは、記録媒体への画像記録後に、当該画像記録に係る画像取込部から取り込んだ画像データを用いて画像を記録すると仮定した場合における記録可能枚数を知ることができる。
【図面の簡単な説明】
【００１７】
【図１】本発明の一実施形態に係る複合機の内部の構成を示す図である。
【図２】本発明の一実施形態に係る複合機の電気的構成を示すブロック図である。
【図３】本発明の一実施形態に係る複合機の制御ユニットが実行する印刷可能枚数表示に係る制御を示すフロー図である。
【図４】印刷情報格納処理に係るサブルーチンを示すフロー図である。
【図５】第１印刷可能枚数導出処理に係るサブルーチンを示すフロー図である。
【図６】第２印刷可能枚数導出処理に係るサブルーチンを示すフロー図である。
【図７】すべての画像取込部についての印刷可能枚数導出処理に係るサブルーチンを示すフロー図である。
【図８】本発明の一実施形態に係る複合機の表示部の表示例を示す図である。
【発明を実施するための形態】
【００１８】
本発明の一実施形態に係る複合機１は、図１及び図２に示すように、筐体１ｘを有する。筐体１ｘには、吐出ユニット１０と、搬送ユニット２０と、インク貯留ユニット３０と、制御ユニット５０と、複数の画像取込部６０とが設けられている。
【００１９】
吐出ユニット１０は、キャリッジ１１と、キャリッジ１１に搭載されたヘッド１２とを含む。キャリッジ１１は、走査方向に延在する２本のガイド軸１１ｇに支持され、キャリッジモータ１１ｍの駆動により無端ベルト１１ｂが走行することで、走査方向に往復移動する。ヘッド１２の吐出面には、複数の吐出口１２ｘが開口している。吐出口１２ｘは、搬送方向に配列され、それぞれ、ブラック、イエロー、シアン、マゼンタの各色のインクを吐出する４つの吐出口列１２Ｂ，１２Ｙ，１２Ｃ，１２Ｍを形成している。搬送ユニット２０によって搬送方向に搬送される用紙１００の表面に、キャリッジ１１と共に走査方向に往復移動するヘッド１２の吐出口１２ｘからインクが吐出されることで、画像が記録される。
【００２０】
インク貯留ユニット３０は、カートリッジユニット４０と、カートリッジユニット４０から供給されたインクをヘッド１２に向けて供給するサブタンクユニット１３とを含む。サブタンクユニット１３は、キャリッジ１１に搭載されている。カートリッジユニット４０は、ブラック、イエロー、シアン、マゼンタの各色のインクを貯留する４つのカートリッジ４０Ｂ，４０Ｙ，４０Ｃ，４０Ｍを含む。４つのカートリッジ４０Ｂ，４０Ｙ，４０Ｃ，４０Ｍは、筐体１ｘに対して個別に着脱可能である。サブタンクユニット１３は、ブラック、イエロー、シアン、マゼンタの各色のインクを貯留する４つのサブタンク１３Ｂ，１３Ｙ，１３Ｃ，１３Ｍを含む。４つのサブタンク１３Ｂ，１３Ｙ，１３Ｃ，１３Ｍは、それぞれ、可撓性のチューブ１５Ｂ，１５Ｙ，１５Ｃ，１５Ｍを介して、４つのカートリッジ４０Ｂ，４０Ｙ，４０Ｃ，４０Ｍと接続されている。
【００２１】
各カートリッジ４０Ｂ，４０Ｙ，４０Ｃ，４０Ｍのインク貯留空間からチューブ１５Ｂ，１５Ｙ，１５Ｃ，１５Ｍを介してサブタンク１３Ｂ，１３Ｙ，１３Ｃ，１３Ｍのインク貯留空間に供給されたインクは、サブタンクのインク貯留空間に一時的に貯留された後、ヘッド１２に供給される。
【００２２】
したがって、ブラックについてのインク貯留部３０Ｂは、カートリッジ４０Ｂ及びサブタンク１３Ｂを含む。イエローについてのインク貯留部３０Ｙは、カートリッジ４０Ｙ及びサブタンク１３Ｙを含む。シアンについてのインク貯留部３０Ｃは、カートリッジ４０Ｃ及びサブタンク１３Ｃを含む。マゼンタについてのインク貯留部３０Ｍは、カートリッジ４０Ｍ及びサブタンク１３Ｍを含む。
【００２３】
本実施形態に係る複合機１には、画像取込部６０として、複合機１に画像データを取り込むために使用され、ＰＣ(Personal Computer)と有線又は無線で接続するためのＰＣインターフェイス６１と、原稿の画像を光学的に読み取るスキャナユニット６２と、モデムを含むＦＡＸ通信モジュール６３と、メモリカードに格納された画像データを読み出すためのカードインターフェイス６４とが設けられている。したがって、複合機１は、ＰＣインターフェイス６１から取り込んだ画像データを用いて印刷するＰＣプリント（ＰＣプリント機能）と、スキャナユニット６２から取り込んだ画像データを用いて印刷するコピー（コピー機能）と、ＦＡＸ通信モジュール６３から取り込んだ画像データを用いて印刷するＦＡＸ（ファクシミリプリント、ＦＡＸ機能）と、カードインターフェイス６４から読み出された画像データを用いて印刷するメディアプリント（メディアプリント機能）とを実行可能である。
【００２４】
制御ユニット５０は、複合機１の各部を制御するものであり、図２に示すように、ＣＰＵ（Central Processing Unit）５１、ＲＯＭ（Read Only Memory）５２、ＲＡＭ（Random Access Memory）５３及びＥＥＰＲＯＭ５４を含む。ＣＰＵ５１は、複数の画像取込部６０から取り込まれた画像データに基づいて、画像データに係る画像が記録媒体である用紙１００に記録されるように、吐出ユニット１０及び搬送ユニット２０を制御する。ＲＯＭ５２は、ＣＰＵ５１が実行するプログラム、各種固定データ等を記している。ＲＡＭ５３は、ＣＰＵ５１がプログラム実行時に必要なデータ（画像データ等）を一時的に記憶する。ＥＥＰＲＯＭ５４は、後述する記録情報を記憶する。
【００２５】
本実施形態において、ＲＯＭ５２は、ＦＡＸ通信モジュール６３が指定画像取込部である旨を記憶している。
【００２６】
ＥＥＰＲＯＭ５４は、ブラック、イエロー、シアン、マゼンタの各色について、ヘッド１２によって画像が記録された用紙の数である記録済数と、その画像記録が行われた日時等の記録時期情報を記憶する（記録情報記憶部）。ここで、ＥＥＰＲＯＭ５４には、現在から直近３０日間（第１所定期間）における過去の印刷処理での記録済数及び記録時期情報を消去することなく、過去の印刷処理での記録済数及び記録時期情報とは独立したものとして、記録に用いられた画像データを取り込んだ複数の画像取込部６０ごとに記憶される。即ち、ＥＥＰＲＯＭ５４には、一又は複数の印刷処理のそれぞれについての記録済数及び記録時期情報が、ＰＣインターフェイス６１、スキャナユニット６２、ＦＡＸ通信モジュール６３及びカードインターフェイス６４のそれぞれについて記憶される。本実施形態において、記録時期情報は、印刷処理が行われた時が属する曜日を識別する情報を含む。また、ＥＥＰＲＯＭ５４は、後述する消費量取得処理で取得された印刷処理で消費されたインクの消費量を、印刷処理での記録済数及び記録時期情報と共に記憶する。なお、３０日よりも古い情報は消去されてよい。
【００２７】
制御ユニット５０には、ＰＣインターフェイス６１と、スキャナユニット６２と、ＦＡＸ通信モジュール６３と、カードインターフェイス６４と、ヘッド１２と、表示部７０が接続されている。
【００２８】
表示部７０は、例えば筐体１ｘの外面に設けられており、ＣＰＵ５１による制御の下、ＰＣプリント、コピー、ＦＡＸ及びメディアプリントについて、インク貯留部３０Ｂ，３０Ｙ，３０Ｃ，３０Ｍに残存するインクによって画像を記録可能な用紙の数である印刷可能枚数及び印刷可能日数等を表示する。
【００２９】
（印刷処理）
ＣＰＵ５１は、複数の画像取込部６０中のいずれかの画像取込部６０から画像データを取り込み、画像データを用いてヘッド１２が用紙に画像を記録するようにさせる。即ち、ＣＰＵ５１は、ＰＣプリント、コピー、ＦＡＸ及びメディアプリントのいずれかについて、それに対応した画像取込部６０から画像データを取り込み、画像データを用いてヘッド１２が用紙に画像を記録するようにさせる。
【００３０】
（記録情報更新処理）
ＣＰＵ５１は、複数の画像取込部６０中のいずれかの画像取込部６０から取り込まれた画像データを用いて印刷処理が行われたときに、その画像取込部について、印刷処理ごとの記録済数をＥＥＰＲＯＭ５４に記憶させる。また、ＣＰＵ５１は、その画像取込部６０について、印刷処理での記録済数及び記録時期情報を、過去３０日間における印刷処理での記録済数及び記録時期情報を消去することなく、過去の印刷処理での記録済数及び記録時期情報とは独立したものとしてＥＥＰＲＯＭ５４に記憶させる。即ち、ＣＰＵ５１は、記録済数及び記録時期情報を、ＰＣインターフェイス６１、スキャナユニット６２、ＦＡＸ通信モジュール６３及びカードインターフェイス６４のそれぞれについてＥＥＰＲＯＭ５４に記憶させる。なお、ＣＰＵ５１は、１日に一度も使用されない画像取込部６０についても、当該画像取込部６０について記録済数がゼロであることを毎日０：００にＥＥＰＲＯＭ５４に記憶させる。
【００３１】
（消費量取得処理）
ＣＰＵ５１は、複数の画像取込部６０中のいずれかの画像取込部から取り込まれた画像データを用いて印刷処理が行われたときに、その画像取込部について、当該印刷処理に係る一又は複数の用紙への画像記録によって消費されたインクの消費量をブラック、イエロー、シアン、マゼンタの色ごとに取得する。具体的には、インクの消費量は、ヘッド１２からのインク吐出量（ドットカウント法）に基づいて取得してもよいし、インク貯留部（カートリッジ及びサブタンク）にインク量を検出するセンサを配置し、そのセンサで検出されたインク残量に基づいて取得してもよい。また、ＣＰＵ５１は、取得したインクの消費量を当該印刷処理での記録済数及び記録時期情報と共に、ＥＥＰＲＯＭ５４に記憶させる。つまり、ＥＥＰＲＯＭ５４は、各印刷処理についての記録済数、色ごとのインク消費量及び記録時期情報を、画像取込部ごとに記憶している。
【００３２】
（残量監視処理）
ＣＰＵ５１は、ブラック、イエロー、シアン、マゼンタの各色について、インク貯留部３０のインク残量を監視している。ＣＰＵ５１は、インク貯留部３０の初期値とドットカウント法から得られたヘッド１２からのインク吐出量とに基づいてインク残量を監視してもよいし、インク貯留部３０に配置したセンサで検出されたインク量に基づいてインク残量を監視してもよい。
【００３３】
（日数表示許可処理）
ＣＰＵ５１は、残量監視処理においてインク残量が第１所定量以下（ニアエンプティ）であることが分かったときに、後述する記録可能日数表示処理の実行を許可する。そして、
ａ）残量監視処理においてインク残量が第１所定量よりも少ない第２所定量未満であることが分かったとき、精度の高い記録可能日数をユーザに報知する必要があるため、ＣＰＵ５１は、曜日によるインク消費量の違いを考慮した印刷可能日数を導出可能である。
ｂ）残量監視処理においてインク残量が第１所定量よりも少なく、且つ、第２所定量以上であることが分かったとき、精度の高い記録可能日数をユーザに報知する必要性がないため、ＣＰＵ５１は、曜日によるインク消費量の違いを考慮しない印刷可能日数を導出可能である。
【００３４】
（第１消費量導出処理）
ＣＰＵ５１は、複数の画像取込部６０中の直前に印刷処理が行われた画像取込部について、過去３０日分の記録済数の総数とインクの消費量、又は、直前に行われた印刷処理に係る記録済数とインクの消費量とに基づいて、一枚の用紙当たりのインクの平均消費量である媒体平均消費量を導出する。
【００３５】
（色材残量取得処理）
ＣＰＵ５１は、印刷処理が行われたときに、ブラック、イエロー、シアン、マゼンタの各色について、インク貯留部３０のインク残量を取得する。
【００３６】
（記録可能数導出処理）
ＣＰＵ５１は、直前に印刷処理が行われた画像取込部６０について、媒体平均消費量と、インク貯留部３０のインク残量とに基づいて、インク貯留部３０に残存するインクによって画像を記録可能な用紙の数である記録可能数を色ごとに導出する。
【００３７】
（記憶情報判断処理）
ＣＰＵ５１は、残量監視処理においてインク残量が第１所定量以下であることが分かったときに、ＥＥＰＲＯＭ５４に格納された印刷情報が３０日（時間差判断期間）分集まっている、且つ、直前に実行された印刷処理に係る画像取込部６０から取り込んだ画像データを用いた印刷が過去３０日間で１５日（第２所定期間）以上使用された履歴があるという可能日数導出条件（記録可能日数導出条件）を満たすか否かを判断する。
ａ）可能日数導出条件を満たす場合、ＣＰＵ５１は、記録可能数だけでなく、記録可能日数も導出する。これは、後述する日平均消費量に高い信頼性があるからである。
ｂ）可能日数導出条件を満たさない場合、ＣＰＵ５１は、記録可能数は導出するが、記録可能日数を導出しない。或いは、記録可能日数を導出したとしても表示しない。
【００３８】
（第２消費量導出処理）
ＣＰＵ５１は、ＥＥＰＲＯＭ５４に記憶された印刷処理ごとのインクの消費量及び記録時期情報に基づいて、直前に印刷処理が行われた画像取込部６０について、過去３０日間における曜日ごと又は曜日を識別しない一日当たりのインクの平均消費量である日平均消費量を色ごとに導出する。
【００３９】
（記録可能日数導出処理）
ＣＰＵ５１は、曜日ごと又は曜日を識別しない日平均消費量と、インク貯留部３０のインク残量とに基づいて、直前に印刷処理が行われた画像取込部６０について、インク貯留部３０に残存するインクによって画像を記録可能な日数である記録可能日数を色ごとに導出する。
【００４０】
（記録可能数表示処理、記録可能日数表示処理）
ＣＰＵ５１は、印刷処理が行われたときに、当該印刷処理に係る画像取込部について、記録可能数を表示部７０に色ごとに表示させる。また、記録可能日数導出処理が行われた場合には、記録可能日数を表示部７０に色ごとに表示させる。
【００４１】
（指定取得処理）
ＣＰＵ５１は、ＰＣインターフェイス６１、スキャナユニット６２及びカードインターフェイス６４のいずれかから取り込まれた画像データを用いて印刷処理が行われたときに、指定画像取込部（本実施形態ではＦＡＸ通信モジュール６３）について、ＥＥＰＲＯＭ５４に記憶された記録済数の総数の用紙への画像記録によって消費されたインクの消費量である指定消費量を色ごとに取得する。
【００４２】
（報知要否判断処理：第３消費量導出処理、指定記録可能日数導出処理、指定記録可能末日判断処理）
ＣＰＵ５１は、指定画像取込部であるＦＡＸ通信モジュール６３について取得された指定消費量と、インク貯留部３０のインク残量とに基づいて、ＦＡＸが記録不可となることに関する報知の要否を判断する。ＦＡＸ受信時に印刷未完了のままインク切れした場合、停電があるとＦＡＸ通信モジュール６３から取り込まれてＥＥＰＲＯＭ５４に保存された画像データは消失してしまう。或いは、大量の画像データをＦＡＸ受信したときに印刷未完了のままインク切れすると、印刷未完了分の画像データのすべてをＥＥＰＲＯＭ５４に保存できずメモリ不足となる。このような事態を考慮して、本実施形態では、特にＦＡＸについての報知要否を判断することにしている。
【００４３】
ＣＰＵ５１は、報知要否判断処理として、ＦＡＸ通信モジュール６３について取得された指定消費量及び記録時期情報に基づいて、ＦＡＸ通信モジュール６３について、過去３０日間における曜日ごと又は曜日を識別しない日平均消費量（指定日平均消費量）を導出する。また、ＣＰＵ５１は、曜日ごとの指定日平均消費量が導出された場合には、直前に印刷処理が行われた時がどの曜日に属するかを示す情報と、指定日平均消費量と、インク貯留部３０のインク残量とに基づいて、ＦＡＸ通信モジュール６３について、インク貯留部３０に残存するインクによって画像を記録可能な日数（指定記録可能日数）を導出する。また、ＣＰＵ５１は、現在つまり直近の印刷処理が行われた時から指定記録可能日数が経過した末日が土日祝に該当すれば、報知が必要であると判断する。なお、曜日を識別しない指定日平均消費量が導出された場合には、ＣＰＵ５１は、指定日平均消費量と、インク貯留部３０のインク残量とに基づいて指定記録可能日数を導出する。そして、現在つまり直近の印刷処理が行われた時から指定記録可能日数が経過した末日が例えば３日以内の日であれば、報知が必要であると判断する。
【００４４】
（記録不可情報表示処理）
ＣＰＵ５１は、報知要否判断処理において報知が必要であると判断されたときに、ＦＡＸについての記録不可となることに関する情報を表示部７０に表示させる。本実施形態では、ＣＰＵ５１は、記録不可となることに関する情報（警告）として、大量にＦＡＸデータが複合機に蓄積されると、ＦＡＸ受信ができなくなることを表示部に表示させる。
【００４５】
（第４消費量導出処理、統合記録可能日数導出処理、統合記録可能日数表示処理）
ＣＰＵ５１は、上記可能日数導出条件を満たす場合、ＥＥＰＲＯＭ５４に記憶された印刷処理ごとのインクの消費量及び記録時期情報に基づいて、複数の画像取込部６０を識別しない、過去３０日間における日平均消費量（統合日平均消費量）を導出する。統合日平均消費量を導出するには、例えば、複数の画像取込部６０それぞれにおける色材の一日当たりの平均消費量の平均値を計算してもよいし、１日における画像取込部６０当たりの平均消費量の平均値を計算してもよい。また、ＣＰＵ５１は、統合日平均消費量と、インク貯留部３０のインク残量とに基づいて、インク貯留部３０に残存するインクによって画像を記録可能な日数（統合記録可能日数）を色ごとに導出する。また、ＣＰＵ５１は、統合記録可能日数を表示部７０に表示させる。即ち、ＣＰＵ５１は、ＰＣプリント、コピー、ＦＡＸ及びメディアプリントを識別しないすべての画像取込部６０（以下の説明において「全機能」と称することがある）についての統合記録可能日数を表示部７０に表示させる。
【００４６】
（日平均記録数導出処理、全記録可能数導出処理、統合記録可能数表示処理）
ＣＰＵ５１は、上記可能日数導出条件を満たす場合、ＥＥＰＲＯＭ５４に記憶された印刷処理ごとの記録済数及び記録時期情報に基づいて、複数の画像取込部６０のそれぞれについて、過去３０日間における一日当たりの平均記録数（日平均記録数）を導出する。また、ＣＰＵ５１は、導出された日平均記録数と、統合記録可能日数とから、複数の画像取込部６０のいずれかの画像取込部だけが使用されたと仮定した場合の記録可能数又は複数の画像取込部６０のいずれかの画像取込部が所定比率で使用されたと仮定した場合の記録可能数を複数の画像取込部６０のそれぞれについて導出する。ここで、所定比率は予めＲＯＭ５２に記憶されたものであり、一例として、ＰＣプリント４０％、コピー３０％、ＦＡＸ２０％、メディアプリント１０％（合計で１００％であることが好ましいが、合計を例えば９５％（１００％未満）として残りの５％で過去の所定期間内にどのような印刷を行ったかを表示するレポート印刷を行うようにしてもよい。その場合レポート印刷の記録可能数を導出してもよい）という比率が記憶されている。或いは、所定比率は過去３０日間における各画像取込部６０の使用比率に基づいて決定してもよい。また、ＣＰＵ５１は、記録可能数導出処理で導出された複数の画像取込部６０のそれぞれについての記録可能数を表示部７０に表示させる。即ち、表示部７０に表示されるのは、
（ａ）ＰＣプリントだけが使用されると仮定した場合の記録可能数、コピーだけが使用されると仮定した場合の記録可能数、ＦＡＸだけが使用されると仮定した場合の記録可能数、及び、メディアプリントだけが使用されると仮定した場合の記録可能数、又は、
（ｂ）ＰＣプリントが所定比率で使用されると仮定した場合の記録可能数、コピーが所定比率で使用されると仮定した場合の記録可能数、ＦＡＸが所定比率で使用されると仮定した場合の記録可能数、及び、メディアプリントが所定比率で使用されると仮定した場合の記録可能数、
となる。
【００４７】
次いで、図３を参照し、制御ユニット５０のＣＰＵ５１が実行する処理について説明する。
【００４８】
先ず、制御ユニット５０は、複合機１の表示部６０に待機画面が表示された状態において、コピー、ＰＣプリント、メディアプリントのいずれかの印刷処理を実行すると（Ｓ１：印刷処理）、印刷処理に係る一又は複数の用紙への印刷が正常に終了したか否かを判断する（Ｓ２）。ここでは、ＦＡＸ以外のＰＣプリント、コピー、メディアプリントのいずれかの印刷処理（機能Ａ）を行う場合を説明する。印刷処理が正常に終了した場合（Ｓ２：ＹＥＳ）、ＣＰＵ５１は、印刷情報格納処理（記録情報更新処理及び消費量取得処理）を実行する（Ｓ３）。
【００４９】
図４を参照し、Ｓ３（印刷情報格納処理）について詳細に説明する。
【００５０】
Ｓ３において、ＣＰＵ５１は、各直近の印刷処理での記録済数、インク消費量、及び、曜日を識別する情報を含む記録時期情報を格納して（Ｓ１０１）、当該ルーチンを終了する。ＣＰＵ５１は、各機能について、直前の印刷処理での記録済数、インク消費量及び記録時期情報を、過去３０日間における印刷処理での記録済数、インク消費量及び記録時期情報を消去することなく、過去の印刷処理での記録済数及び記録時期情報とは独立したものとしてＥＥＰＲＯＭ５４に記憶させる。ＣＰＵ５１は、３０日を超えた過去の印刷処理での記録済数及び記録時期情報は消去してよい。
【００５１】
Ｓ３の後、ＣＰＵ５１は、ブラック、イエロー、シアン、マゼンタの各色のいずれかについて、インク貯留部３０のインク残量が第１所定量以下（ニアエンプティ）か否かを判断する（Ｓ４：残量監視処理）。インク貯留部のインク残量が第１所定量以下である場合（Ｓ４：ＹＥＳ）、ＣＰＵ５１は、ブラック、イエロー、シアン、マゼンタの各色のいずれかについて、インク貯留部３０のインク残量が第１所定量より少ない第２所定量未満か否かを判断する（Ｓ５：残量監視処理）。インク貯留部３０のインク残量が第２所定量未満である場合（Ｓ５：ＹＥＳ：日数表示許可処理）、ＣＰＵ５１は、機能Ａについての第１印刷可能枚数導出処理（色材残量取得処理、第１消費量導出処理、第２消費量導出処理、記録可能数導出処理、記録可能日数導出処理）を実行する（Ｓ６）。
【００５２】
図５を参照し、Ｓ６（第１印刷可能枚数導出処理）について詳細に説明する。
【００５３】
Ｓ６において、先ず、ＣＰＵ５１は、可能日数導出条件を満たすか否かを判断する（Ｓ２０１：記憶情報判断処理）。
【００５４】
可能日数導出条件を満たす場合（Ｓ２０１：ＹＥＳ）、ＣＰＵ５１は、ＥＥＰＲＯＭ５４に記憶された機能Ａについての３０日分の印刷情報を取り出す（Ｓ２０２）と共に、ＣＰＵ５１は、インク貯留部のインク残量を色ごとに取得する（Ｓ２０３：色材残量取得処理）。
【００５５】
その後、ＣＰＵ５１は、３０日分の印刷情報に含まれる印刷枚数とインク消費量に基づいて、媒体平均消費量を色ごとに導出する（Ｓ２０４：第１消費量導出処理）。さらに、ＣＰＵ５１は、曜日ごとの日平均消費量を導出する（Ｓ２０４：第２消費量導出処理）。ＣＰＵ５１は、媒体平均消費量とインク貯留部３０のインク残量とに基づいて、印刷可能枚数を色ごとに導出する（Ｓ２０５：記録可能数導出処理）。また、ＣＰＵ５１は、曜日による日平均消費量の違いを考慮した現在の曜日と、曜日ごとの日平均消費量と、インク貯留部のインク残量とに基づいて、印刷可能日数を色ごとに導出する（Ｓ２０６：記録可能日数導出処理）。例えば、現在の曜日を金曜日とし、曜日ごとの日平均消費量を、日：０ｐｌ、月：２０ｐｌ、火：３０ｐｌ、水：１５ｐｌ、木：５０ｐｌ、金：２０ｐｌ、土：０ｐｌとし、インク貯留部のインク残量を２５ｐｌとした場合、曜日ごとの日平均消費量を考慮して印刷可能日数を導出すると、金の日平均消費量から、土の日平均消費量、日の日平均消費量、月の日平均消費量と足していくと、インク消費量が、インク残量２５ｐｌを超える。したがって、印刷可能日数は、３日（金、土、日）と導出される。ここで、仮に曜日ごとの日平均消費量を考慮しないで導出した印刷可能日数（後述するＳ３０６参照）は、２日であるから、曜日を考慮することで、より正確な印刷可能日数を導出できる。Ｓ２０６の後、ＣＰＵ５１は、ブラック、イエロー、シアン、マゼンタのなかで一番小さい印刷可能枚数及び印刷可能日数を抽出して（Ｓ２０７）、当該ルーチンを終了する。
【００５６】
一方、可能日数導出条件を満たさない場合（Ｓ２０１：ＮＯ）、ＣＰＵ５１は、ＥＥＰＲＯＭ５４に記憶された機能Ａについての最新つまり直近の印刷情報を取り出す（Ｓ２０８）と共に、ＣＰＵ５１は、インク貯留部３０のインク残量を色ごとに取得する（Ｓ２０９：色材残量取得処理）。その後、ＣＰＵ５１は、最新の印刷情報に含まれる印刷枚数とインク消費量に基づいて、媒体平均消費量を色ごとに導出する（Ｓ２１０：第１消費量導出処理）。ＣＰＵ５１は、媒体平均消費量とインク貯留部のインク残量とに基づいて、印刷可能枚数を色ごとに導出する（Ｓ２１１：記録可能数導出処理）。Ｓ２１１の後、ＣＰＵ５１は、ブラック、イエロー、シアン、マゼンタのなかで一番小さい印刷可能枚数を抽出して（Ｓ２１２）、当該ルーチンを終了する。
【００５７】
Ｓ６の後、ＣＰＵ５１は、Ｓ２０７又はＳ２１２で抽出された機能Ａについての印刷可能枚数及び記録可能日数を表示する（Ｓ７：記録可能数表示処理、記録可能日数表示処理）。図８（ａ）は、機能ＡがＰＣプリントである場合に、印刷可能枚数及び印刷可能日数が表示された表示部７０の画面の表示例を示している。図８（ａ）では、ＰＣプリントについての印刷可能日数が３日であって、ＰＣプリントの印刷可能枚数が２枚であることが表示されている。
【００５８】
その後、ＣＰＵ５１は、ＦＡＸについての第１印刷可能枚数導出処理を実行する（Ｓ８：指定取得処理、報知要否判断処理のうちの第３消費量導出処理及び指定記録可能日数導出処理）。Ｓ８は、Ｓ２０１の判断をせずにＳ２０２から始まる以外はＳ６と同様である。なお、Ｓ８において指定取得処理に該当するのは図５のＳ２０２であり、ここではＦＡＸについてＥＥＰＲＯＭ５４に記憶されたすべての記録情報が用いられる。
【００５９】
Ｓ８の後、ＣＰＵ５１は、報知条件を満たすか否かを判断する（Ｓ９：報知要否判断処理のうちの指定記録可能末日判断処理）。具体的には、ＣＰＵ５１は、インクが無くなるつまりＦＡＸ受信記録の印刷が不可となる曜日が土日祝か（ＦＡＸについての記録可能日数が経過した末日が所定日に該当するか）どうかを判断する。報知条件を満たす場合（Ｓ９：ＹＥＳ）、ＣＰＵ５１は、表示部７０に警告を表示する（Ｓ１０：記録不可情報表示処理）。図８（ｂ）は、Ｓ１０で報知条件を満たした場合に、警告が表示された表示部７０の画面の表示例を示している。図８（ｂ）では、警告として、大量にＦＡＸデータが複合機に蓄積されると、ＦＡＸ受信ができなくなることが表示されている。
【００６０】
一方、Ｓ５において、インク貯留部のインク残量が第２所定量以上の場合（Ｓ５：ＮＯ）、ＣＰＵ５１は、機能Ａについての第２印刷可能枚数導出処理（色材残量取得処理、第１消費量導出処理、第２消費量導出処理、記録可能数導出処理、記録可能日数導出処理）を実行する（Ｓ１１）。
【００６１】
図６を参照し、Ｓ１１（第２印刷可能枚数導出処理）について詳細に説明する。
【００６２】
Ｓ１１において、先ず、ＣＰＵ５１は、可能日数導出条件を満たすか否かを判断する（Ｓ３０１：記憶情報判断処理）。
【００６３】
可能日数導出条件を満たす場合（Ｓ３０１：ＹＥＳ）、ＣＰＵ５１は、ＥＥＰＲＯＭ５４に記憶された機能Ａについての３０日分の印刷情報を取り出す（Ｓ３０２）と共に、ＣＰＵ５１は、インク貯留部のインク残量を色ごとに取得する（Ｓ３０３：色材残量取得処理）。
【００６４】
その後、ＣＰＵ５１は、３０日分の印刷情報に含まれる印刷枚数とインク消費量に基づいて、媒体平均消費量を色ごとに導出する（Ｓ３０４：第１消費量導出処理）。さらに、ＣＰＵ５１は、曜日を識別しない日平均消費量を導出する（Ｓ３０４：第２消費量導出処理）。ＣＰＵ５１は、媒体平均消費量とインク貯留部のインク残量とに基づいて、印刷可能枚数を導出する（Ｓ３０５：記録可能数導出処理）。また、ＣＰＵ５１は、曜日を識別しない日平均消費量とインク貯留部のインク残量とに基づいて、曜日による日平均消費量の違いを考慮しない印刷可能日数を色ごとに導出する（Ｓ３０６：記録可能日数導出処理）。Ｓ３０６の後、ＣＰＵ５１は、ブラック、イエロー、シアン、マゼンタのなかで一番小さい印刷可能枚数及び印刷可能日数を抽出して（Ｓ３０７）、当該ルーチンを終了する。
【００６５】
一方、可能日数導出条件を満たさない場合（Ｓ３０１：ＮＯ）の処理（Ｓ３０８〜Ｓ３１２）は、図５のＳ２０８〜Ｓ２１２と同じなのでここでは詳細を省略する。
【００６６】
Ｓ１１の後、ＣＰＵ５１は、Ｓ３０７又はＳ３１２で抽出された機能Ａについての印刷可能枚数及び記録可能日数を表示する（Ｓ１２：記録可能数表示処理、記録可能日数表示処理）。
【００６７】
その後、ＣＰＵ５１は、ＦＡＸについての第２印刷可能枚数導出処理を実行する（Ｓ１３：指定取得処理、報知要否判断処理のうちの第３消費量導出処理及び指定記録可能日数導出処理）。Ｓ１３は、Ｓ３０１の判断をせずにＳ３０２から始まる以外はＳ１１と同様である。なお、Ｓ１３において指定取得処理に該当するのは図６のＳ３０２であり、ここではＦＡＸについてＥＥＰＲＯＭ５４に記憶されたすべての記録情報が用いられる。
【００６８】
Ｓ１３の後、ＣＰＵ５１は、報知条件を満たすか否かを判断する（Ｓ９：報知要否判断処理のうちの指定記録可能末日判断処理）。報知条件を満たす場合（Ｓ９：ＹＥＳ）、ＣＰＵ５１は、表示部７０に警告を表示する（Ｓ１０）。
【００６９】
Ｓ１０の後、ＣＰＵ５１は、ブラック、イエロー、シアン、マゼンタの各色のいずれかについて、インク貯留部３０のインク残量が第１所定量以下か否かを判断する（Ｓ１４：残量監視処理）。インク貯留部３０のインク残量が第１所定量以下である場合（Ｓ１４：ＹＥＳ）、ＣＰＵ５１は、すべての画像取込部６０についての印刷可能枚数導出処理を実行する（Ｓ１５）。
【００７０】
図７を参照し、Ｓ１５（全機能についての印刷可能枚数導出処理）について詳細に説明する。
【００７１】
Ｓ１５において、先ず、ＣＰＵ５１は、可能日数導出条件を満たすか否かを判断する（Ｓ４０１）。
【００７２】
可能日数導出条件を満たす場合（Ｓ４０１：ＹＥＳ）、ＣＰＵ５１は、ＥＥＰＲＯＭ５４に記憶されたすべての画像取込部６０についての３０日分の印刷情報を取り出す（Ｓ４０２）と共に、ＣＰＵ５１は、インク貯留部のインク残量を色ごとに取得する（Ｓ４０３）。可能日数導出条件を満たさない場合（Ｓ４０１：ＮＯ）、ＣＰＵ５１は、当該ルーチンを終了する。
【００７３】
その後、ＣＰＵ５１は、３０日分の印刷情報に含まれる印刷処理ごとのインクの消費量及び記録時期情報に基づいて、複数の画像取込部６０を識別しない、過去３０日間における日平均消費量（統合日平均消費量）を色ごとに導出する（Ｓ４０４：第４消費量導出処理）。次に、ＣＰＵ５１は、ＥＥＰＲＯＭ５４に記憶された３０日分の印刷処理ごとの記録済数及び記録時期情報に基づいて、複数の画像取込部６０のそれぞれについて、過去３０日間における一日当たりの平均記録数（日平均記録数）を導出する（Ｓ４０５：日平均記録数導出処理）。
【００７４】
そして、ＣＰＵ５１は、Ｓ４０４で導出した統合日平均消費量と、Ｓ４０３で取得したインク貯留部３０のインク残量とに基づいて、統合記録可能日数を色ごとに導出する（Ｓ４０６：統合記録可能日数導出処理）。
【００７５】
続いて、ＣＰＵ５１は、Ｓ４０５で導出した複数の画像取込部６０のそれぞれについての日平均記録数と、Ｓ４０６で導出された統合記録可能日数とから、複数の画像取込部６０のいずれかの画像取込部だけが使用されたと仮定した場合の記録可能数又は複数の画像取込部６０のいずれかの画像取込部が所定比率で使用されたと仮定した場合の記録可能数を、複数の画像取込部６０のそれぞれについて色ごとに導出する（Ｓ４０７：全記録可能数導出処理）。
【００７６】
さらに、ＣＰＵ５１は、ブラック、イエロー、シアン、マゼンタのなかで一番小さい印刷可能日数及び画像取込部ごとの印刷可能枚数を抽出して（Ｓ４０８）、当該ルーチンを終了する。
【００７７】
Ｓ１５の後、ＣＰＵ５１は、Ｓ４０８で抽出された統合記録可能日数、及び、Ｓ４０８で抽出された画像取込部６０ごとの印刷可能枚数を表示する（Ｓ１６：統合記録可能数表示処理）。
【００７８】
図８（ｃ）は、全機能についての統合印刷可能日数、及び、機能ごとの印刷可能枚数が表示された表示部７０の画面の表示例を示している。図８（ｃ）では、全機能についての統合印刷可能日数が３日であって、統合印刷可能日数に基づいて導出された機能ごとの印刷可能枚数が表示されている。なお、機能ごとの印刷可能枚数は、複数の画像取込部６０のいずれかの画像取込部だけが使用されたと仮定した場合の記録可能数であってもよいし、複数の画像取込部６０のいずれかの画像取込部が所定比率で使用されたと仮定した場合の記録可能数であってもよい。
【００７９】
Ｓ１６の後、複合機１に設定された時刻が０：００になったか否かを判断する（Ｓ１７）。複合機１に設定された時刻が０：００になった場合（Ｓ１７：ＹＥＳ）、ＣＰＵ５１は、印刷情報格納処理を実行する（Ｓ１８）。Ｓ１８では、ＣＰＵ５１は、当日に一度も使用されていない機能について、当日の印刷枚数及びインク消費量を０にセットして、印刷情報を格納する。その後、ＣＰＵ５１は、印刷動作が開始されたか否かを判断する（Ｓ１９）。印刷動作が開始された場合（Ｓ１９：ＹＥＳ）、ＣＰＵ５１は、Ｓ１の処理を実行する。印刷動作が開始されない場合（Ｓ１９：ＮＯ）、ＣＰＵ５１は、Ｓ１７の処理を実行する。
【００８０】
Ｓ４でインク貯留部３０のインク残量が第１所定量以下でない場合（Ｓ４：ＮＯ）、及び、Ｓ９で報知条件を満たさない場合（Ｓ９：ＮＯ）、ＣＰＵ５１は、Ｓ１４の処理を実行する。Ｓ１４でインク貯留部３０のインク残量が第１所定量以下でない場合（Ｓ１４：ＮＯ）、ＣＰＵ５１は、Ｓ１７の処理を実行する。Ｓ１７において、複合機１に設定された時刻が０：００になってない場合（Ｓ１９：ＮＯ）、ＣＰＵ５１は、Ｓ１９の処理を実行する。Ｓ１９で印刷動作が開始されない場合（Ｓ１９：ＮＯ）、ＣＰＵ５１は、Ｓ１７の処理を実行する。
【００８１】
以上に述べたように、本実施形態によれば、複数の画像取込部６０のいずれかの画像取込部から取り込まれた画像データを用いて印刷処理が行われたときに、媒体平均消費量が導出され、その媒体平均消費量に基づいて、インク貯留部３０に残存するインクによって画像を記録可能な記録可能数が導出され、その記録可能数が表示部７０に表示される。したがって、ユーザは、用紙への画像記録後に、画像記録が行われた画像取込部６０から取り込んだ画像データを用いて画像を記録すると仮定した場合における記録可能枚数を知ることができる。これに対し、仮に特許文献１の技術をそのまま複合機に転用した場合、どの画像取込部から取り込んだ画像データを用いて画像を記録したとしても、すべての画像取込部について平均化された印刷可能枚数又はある特定の画像取込部から画像データを取り込んだときに限定された印刷可能枚数が表示されるだけとなる。
【００８２】
画像記録が行われた画像取込部６０について、過去３０日間における日平均消費量が導出され、その日平均消費量に基づいて、インク貯留部３０に残存するインクによって画像を記録可能な記録可能日数が導出され、その記録可能日数が表示部７０に表示される。したがって、ユーザは、用紙への画像記録後に、画像記録が行われた画像取込部６０から取り込んだ画像データを用いて画像を記録すると仮定した場合における記録可能日数を知ることができる。
【００８３】
高い信頼性で日平均消費量を導出可能な記録可能日数導出条件を満たす場合については記録可能日数を表示し、高い信頼性で日平均消費量を導出できない記録可能日数導出条件を満たさない場合については記録可能日数を表示しない。これによって、信頼性が高い記録可能日数だけをユーザに報知することができる。
【００８４】
過去３０日間における曜日ごとの日平均消費量が導出され、曜日ごとの日平均消費量に基づいて、インク貯留部３０に残存するインクによって画像を記録可能な記録可能日数が導出される。したがって、曜日ごとの日平均消費量を考慮して記録可能日数を導出できる。
【００８５】
インク貯留部３０のインク残量が第１所定量より少ない第２所定量未満のときには、精度の高い記録可能日数をユーザに報知する必要があるため、曜日ごとの日平均消費量を考慮した記録可能日数を表示することができる。一方、インク残量が第１所定量よりも少なく第２所定量以上であるときには、精度の高い記録可能日数をユーザに報知する必要性がないため、曜日を識別しない日平均消費量を考慮した記録可能日数を表示することができる。
【００８６】
直前に印刷処理が行われた画像取込部６０がＦＡＸ通信モジュールとは異なる場合であっても、記録不可となることでＦＡＸ通信モジュールから取り込んだ画像データが消失する可能性が高い場合には、記録不可となることに関する情報をユーザに報知することができる。特に、曜日ごとの日平均消費量を考慮するので信頼性が高くなる。また、過去における複数の画像取込部６０に係るインクの消費実績を統合的に考慮した、平均的な記録可能日数をもユーザに知らせることができる。さらに、画像取込部６０ごとの平均的な記録可能数をユーザに知らせることができる。
【００８７】
以上、本発明の好適な実施の形態及び実施例について説明したが、本発明は上述の実施形態及び実施例に限られるものではなく、特許請求の範囲に記載した限りにおいて様々な設計変更が可能なものである。
【００８８】
図３のＳ４及びＳ５を実行せず、Ｓ３からＳ６又はＳ１１に進むようにしてもよい。Ｓ１４も省略してよい。また、Ｓ１５及びＳ１６を省略してよい。さらに、Ｓ８及びＳ１３を省略してよい。図５に示すＳ６の処理は、Ｓ２０１の処理を省略し、Ｓ２０２〜Ｓ２０７及びＳ２０８〜Ｓ２１２のいずれかを行うようにしてよい。同様に、図６に示すＳ１１の処理は、Ｓ３０１の処理を省略し、Ｓ３０２〜Ｓ３０７及びＳ３０８〜Ｓ３１２のいずれかを行うようにしてよい。また、Ｓ２０７，Ｓ２１２，Ｓ３０７，Ｓ３１２での抽出処理は省略してもよく、その場合は各色についての表示を行えばよい。さらに、図７において、統合記録可能日数だけを導出及び表示するようにしてもよい。
【００８９】
記録情報更新処理において、ＣＰＵ５１は、印刷処理が行われたときに、その画像取込部についての印刷処理された用紙の累積数をＥＥＰＲＯＭ５４に記憶させてよいし、最新の記録数だけをＥＥＰＲＯＭ５４に上書き記憶させてもよい。
【００９０】
第１消費量導出処理において、ＣＰＵ５１は、ＥＥＰＲＯＭ５４に記憶された記録済数の総数よりも少ない用紙の枚数と、これに対応したインクの消費量とに基づいて、媒体平均消費量を導出してよい。
【００９１】
消費量取得処理において、ＣＰＵ５１は、ＥＥＰＲＯＭ５４に記憶された記録済数の総数の用紙への画像記録によって消費されたインクの消費量を、インク貯留部の初期値とインク残量測定から取得してよい。したがって、本発明では、日平均消費量を導出しないのであれば、逐次、印刷処理ごとのインク消費量を記憶していなくてよい。
【００９２】
第２消費量導出処理において、日平均消費量を導出するときに、ＣＰＵ５１は、平日と休日に区分してもよいし、曜日と平日・休日を組み合わせて区分してよい。
【００９３】
第２消費量導出処理において、第１所定期間に包含される第２所定期間における日平均消費量を導出するときに、第１所定期間と第２所定期間は同一であってもよいし異なってもよい。
【００９４】
記憶情報判断処理において、ＣＰＵ５１は、ＥＥＰＲＯＭ５４に格納された印刷情報が３０日（時間差判断期間）分集まっているかを含む記録可能日数導出条件を判断しているが、最新の記録時期情報と最先の記録時期情報との時間差が時間差判断期間以上であるかの判断において、時間差判断期間は、過去の印刷情報が記憶された第１所定期間３０日以内の日数であれば、これと異なる日数であってもよい。
【００９５】
記録不可情報表示処理において、記録不可となることに関する情報（警告）として、ＣＰＵ５１は、印刷可能日数又は印刷可能枚数が少ないことを表示部に表示させてよい。また、記録不可情報表示処理において、ＦＡＸについての記録不可となることに関する情報（警告）として、ＣＰＵ５１は、バックアップなしモデルの場合、停電が発生すると受信データが削除されることを表示部に表示させてよい。
【００９６】
指定画像取込部は、ＦＡＸに係る画像データを取り込むＦＡＸ通信モジュール以外の画像取込部であってよい。
【００９７】
インク貯留部が、第１タンクであるカートリッジと、第２タンクであるサブタンクとを含む場合を説明したが、インク貯留部は、第２タンクであるサブタンクを含まなくてよい。
【００９８】
インク貯留部の第１タンクが筐体に対して着脱可能に構成されたカートリッジである場合を説明したが、第１タンクが筐体に対して固定されたタンクであってよい。
【００９９】
インク体を収容可能なインク貯留部から記録部に供給されるインクにより用紙への画像記録を行う複合機について説明したが、例えばトナー等の色材を収容可能な色材貯留部から供給される色材により用紙に画像を記録する複合機であってよい。
【符号の説明】
【０１００】
１  複合機
１０  吐出ユニット
１２  ヘッド（記録部）
２０  搬送ユニット
３０Ｂ，３０Ｙ，３０Ｃ，３０Ｍ  インク貯留部（液体貯留部）
５０  制御ユニット
５１  ＣＰＵ（制御部）
５４  ＲＡＭ（記録情報記憶部）
６０  画像取込部
７０  表示部
【図１】
2019064125.tif 000003
【図２】
2019064125.tif 000004
【図３】
2019064125.tif 000005
【図４】
2019064125.tif 000006
【図５】
2019064125.tif 000007
【図６】
2019064125.tif 000008
【図７】
2019064125.tif 000009
【図８】
2019064125.tif 000010